(57)【要約】【課題】各燃料補給所における実際の燃料単価を収集できるようにする。【解決手段】ガソリンスタンド２における車両４への燃料補給量と燃料種別を表す燃料補給通知を車両に搭載された車載機４０から受信して記憶媒体に記憶させ（Ｓ３００）、ガソリンスタンド２における車両４の燃料購入金額を含む決済情報をカード会社のコンピュータ３０より受信して記憶媒体に記憶させ（Ｓ３０６）、車両４への燃料補給量と燃料種別および燃料購入金額から車両４に供給された燃料の単価を算出して記憶媒体に記憶させる（Ｓ３０８、Ｓ３１０）。この処理を繰り返し記憶媒体に各燃料補給所における燃料種別毎の燃料単価を記憶させる。【選択図】図５
2009134502.tif 000002
【特許請求の範囲】
【請求項１】
燃料補給所における車両への燃料補給量と燃料種別を表す燃料補給通知を前記車両に搭載された車載機から受信して記憶媒体に記憶させる第１の記憶制御手段と、
前記燃料補給所における前記車両の燃料購入金額を含む決済情報をカード会社のコンピュータより受信して前記記憶媒体に記憶させる第２の記憶制御手段と、
前記記憶媒体に記憶された前記車両への燃料補給量と燃料種別および前記燃料購入金額から前記燃料補給所において前記車両に供給された燃料の単価を算出する燃料単価算出手段と、
前記燃料単価算出手段により算出された前記燃料単価を前記記憶媒体に記憶させる第３記憶制御手段と、を備え、
前記記憶媒体に各燃料補給所における前記燃料種別毎の燃料単価を記憶させることを特徴とする燃料情報収集装置。
【請求項２】
前記燃料補給通知を受信してから予め定められた期間が経過する前に前記決済情報を受信したか否かを判定する期間判定手段を備え、
前記第２の記憶制御手段は、前記期間判定手段により前記決済情報を受信したと判定された場合に、前記決済情報を前記記憶媒体に記憶させることを特徴とする請求項１に記載の燃料情報収集装置。
【請求項３】
前記燃料補給通知および前記決済情報には、前記燃料補給所における前記車両への燃料補給作業を識別するための同一の識別情報が含まれており、
前記燃料補給通知および前記決済情報に含まれる各識別情報が一致するか否かを判定する識別情報判定手段を備え、
前記第２の記憶制御手段は、前記期間判定手段により前記決済情報を受信したと判定され、かつ、前記識別情報判定手段により前記各識別情報が一致すると判定された場合に、前記決済情報を前記記憶媒体に記憶させることを特徴とする請求項２に記載の燃料情報収集装置。
【発明の詳細な説明】
【技術分野】
【０００１】
本発明は、燃料補給所における燃料単価等の情報を収集する燃料情報収集装置に関する。
【背景技術】
【０００２】
従来、車両乗員の入力操作に従って目標経路上の指定地域における給油所の情報提供を情報センタに要求する車載機と、この車載機からの要求に応じて燃料販売会社のホストコンピュータを介して管轄する給油所の営業時間や燃料価格等の情報を取得して車載機に対して提供する情報センタと、から構成される情報提供システムがある（例えば、特許文献１参照）。
【特許文献１】特開２００５−１９５３５０号公報
【発明の開示】
【発明が解決しようとする課題】
【０００３】
上記特許文献１に記載のシステムは、燃料販売会社のホストコンピュータを介して取得した給油所の燃料価格の情報が実際に販売している燃料価格と異なる場合に、実際の販売価格と異なる燃料価格を車載機に提供してしまうといった状況が生じてしまう。
【０００４】
本発明は上記点に鑑みたもので、各燃料補給所における実際の燃料単価を収集できるようにすることを目的とする。
【課題を解決するための手段】
【０００５】
上記目的を達成するため、請求項１に記載の発明は、燃料補給所における車両への燃料補給量と燃料種別を表す燃料補給通知を車両に搭載された車載機から受信して記憶媒体に記憶させる第１の記憶制御手段と、燃料補給所における車両の燃料購入金額を含む決済情報をカード会社のコンピュータより受信して記憶媒体に記憶させる第２の記憶制御手段と、記憶媒体に記憶された車両への燃料補給量と燃料種別および燃料購入金額から燃料補給所において車両に供給された燃料の単価を算出する燃料単価算出手段と、燃料単価算出手段により算出された燃料単価を記憶媒体に記憶させる第３記憶制御手段と、を備え、記憶媒体に各燃料補給所における燃料種別毎の燃料単価を記憶させることを特徴としている。
【０００６】
このような構成では、燃料補給所における車両への燃料補給量と燃料種別を表す燃料補給通知を車両に搭載された車載機から受信して記憶媒体に記憶させ、燃料補給所における車両の燃料購入金額を含む決済情報をカード会社のコンピュータより受信して記憶媒体に記憶させ、記憶媒体に記憶された車両への燃料補給量と燃料種別および燃料購入金額から燃料補給所において車両に供給された燃料の単価を算出して記憶媒体に記憶するようにして、各燃料補給所における燃料種別毎の燃料単価が記憶手段に記憶される。すなわち、各燃料補給所における実際の燃料単価を収集することができる。
【０００７】
また、請求項２に記載の発明は、燃料補給通知を受信してから予め定められた期間が経過する前に決済情報を受信したか否かを判定する期間判定手段を備え、第２の記憶制御手段は、期間判定手段により決済情報を受信したと判定された場合に、決済情報を記憶媒体に記憶させることを特徴としている。
【０００８】
このような構成では、燃料補給通知を受信してから予め定められた期間が経過する前に決済情報を受信しないと判定された場合、記憶媒体に決済情報が記憶されない。すなわち、このような場合には、燃料補給所における実際の燃料単価を収集しないようにすることができる。
【０００９】
また、請求項３に記載の発明は、燃料補給通知および決済情報には、燃料補給所における車両への燃料補給作業を識別するための同一の識別情報が含まれており、燃料補給通知および決済情報に含まれる各識別情報が一致するか否かを判定する識別情報判定手段を備え、第２の記憶制御手段は、期間判定手段により決済情報を受信したと判定され、かつ、識別情報判定手段により各識別情報が一致すると判定された場合に、決済情報を記憶媒体に記憶させることを特徴としている。
【００１０】
このように、燃料補給通知および決済情報に、燃料補給所における車両への燃料補給作業を識別するための同一の識別情報を含むようにし、燃料補給通知を受信してから予め定められた期間が経過する前に決済情報を受信したと判定され、かつ、燃料補給通知および決済情報に含まれる各識別情報が一致すると判定された場合に、決済情報を記憶媒体に記憶させることができる。
【発明を実施するための最良の形態】
【００１１】
本発明の一実施形態に係る燃料情報収集装置の全体構成を図１に示す。本燃料情報収集装置１０は、情報センタ１内に設置されており、ＣＰＵ、メモリ、記憶装置、通信回路、ディスプレイ、操作部等（いずれも図示せず）を備えたコンピュータとして構成されている。
【００１２】
燃料情報収集装置１０は、カード会社３のホストコンピュータ３０と通信回線を介して接続されるようになっており、また、車両４に搭載された車載機４０と通信することも可能となっている。
【００１３】
燃料情報収集装置１０のＣＰＵは、記憶装置に記憶されたプログラムに従って各種処理を行う。燃料情報収集装置１０の処理としては、カード会社３のホストコンピュータ３０より送信される情報と、車両４に搭載された車載機４０より送信される情報から各ガソリンスタンド２における燃料種別毎の燃料単価を算出して記憶装置に記憶する処理がある。
【００１４】
各ガソリンスタンド２には、車両への燃料補給を行う給油機２１と、この給油機２１から燃料補給量を取得して燃料購入金額の計算を行うレジ端末２２が設けられている。このレジ端末２２は、クレジットカードによる支払いを行うためのカード決済機能を有しており、カード会社３のホストコンピュータ３０と通信回線を介して接続されるようになっている。
【００１５】
ホストコンピュータ３０は、ガソリンスタンド２に設置されたレジ端末２２からカード決済の要求があるとカード決済のための処理を実施し、このカード決済のための処理が完了すると燃料購入金額を含む決済情報を情報センタ１の燃料情報収集装置１０へ通知する処理を実施する。
【００１６】
車両４には、車載機４０が搭載されている。図２に、この車載機４０のブロック構成を示す。
【００１７】
車載機４０は、各種制御を行う制御部４１、制御部４１より入力される映像信号に応じた映像を表示するディスプレイ４２、外部と無線通信を行うための通信回路４３、ハードディスクドライブ等の記憶装置４４を備えたナビゲーション装置として構成されている。
【００１８】
記憶装置４４には、地図表示のための背景データ、道路や交差点等を表す道路データ、各種施設の位置やアイコンを表す施設データ等を含む地図データ等が記憶されている。
【００１９】
制御部４１は、ＣＰＵ、ＲＡＭ、ＲＯＭ、Ｉ／Ｏ等を備えたコンピュータとして構成されており、ＣＰＵは、図示しないメモリに記憶されたプログラムに従って各種処理を行う。
【００２０】
制御部４１の処理には、図示しないＧＰＳ受信機等の位置検出器から入力される情報に基づいて自車位置を特定する自車位置特定処理、自車位置周辺の地図上に自車位置を表示させる地図表示処理、ユーザの操作により指定された条件に従って目的地検索を行う目的地検索処理、現在位置から目的地に至る案内経路を探索する経路探索処理等がある。
【００２１】
また、本実施形態における制御部４１は、ユーザ操作に応じて車両の燃料種別（軽油、レギュラーガソリン、ハイオクガソリン）を設定する設定画面をディスプレイ４２に表示させ、ユーザ操作に応じて車両の燃料種別が設定されると、燃料種別を表す情報を記憶装置４４に記憶する処理を行うようになっている。このように、事前に搭載車両の燃料種別が記憶装置４４に記憶される。
【００２２】
また、制御部４１には、フロート５０を用いて車両４の燃料タンク（図示せず）内の燃料残量を検出した信号が入力されるようになっている。
【００２３】
本実施形態における制御部４１は、燃料補給時に、車両４への燃料補給量と燃料種別を表す燃料補給通知を情報センタ１の燃料情報収集装置１０へ通知する燃料補給通知処理を実施する。
【００２４】
図３に、この燃料補給通知処理のフローチャートを示す。車両４のイグニッションスイッチがオン状態になると、車載機４０は動作状態となり、制御部４１は、地図表示処理等の各種処理とともに図３に示す処理を定期的に実施する。
【００２５】
まず、燃料タンク内の燃料残量を特定する（Ｓ１００）。燃料残量は、フロート５０を用いて車両４の燃料タンク内の燃料残量を検出した信号より特定することができる。
【００２６】
次に、燃料残量が増加したか否かを判定する（Ｓ１０２）。燃料残量が一定または減少した場合、Ｓ１０２の判定はＮＯとなり、Ｓ１００へ戻る。
【００２７】
ガソリンスタンド２において車両４の燃料補給が開始され、燃料タンク内の燃料残量が増加すると、Ｓ１０２の判定はＹＥＳとなり、情報センタ１に燃料補給量と燃料種別を通知する（Ｓ１０４）。具体的には、増加後の燃料残量と増加前の燃料残量との差から増加した燃料量（燃料補給量）を算出するとともに記憶装置４４から搭載車両の燃料種別を読み出して、燃料補給量と搭載車両の燃料種別にシリアルナンバーを付加した燃料補給通知を情報センタ１の燃料情報収集装置１０へ通知する。
【００２８】
本実施形態では、自車位置特定処理によって特定された自車位置と地図データから自車が位置するガソリンスタンド２の店舗名および住所を特定し、このガソリンスタンド２の店舗名および住所を予め定められた規則に従ってユニークなコードを生成し、このコードの末尾に燃料補給時の月日時分秒を表す数字情報を付加してシリアルナンバーを生成する。
【００２９】
このシリアルナンバーは、ガソリンスタンド２における車両への燃料補給作業を識別するためのものである。同一または他のガソリンスタンド２における他の車両への燃料補給作業に対して生成されるシリアルナンバーは、別のシリアルナンバーとなる。
【００３０】
このようにして、ガソリンスタンド２にて燃料補給された車両４の車載機４０から燃料補給量と燃料種別にシリアルナンバーを付加した燃料補給通知が情報センタ１の燃料情報収集装置１０へ通知される。
【００３１】
また、ガソリンスタンド２にて、車両４のユーザからカード決済による支払いの申し出があると、レジ端末２２とカード会社３のホストコンピュータ３０との間でカード決済のためのデータの送受信が行われる。このとき、レジ端末２２からホストコンピュータ３０に送信されるデータには、ガソリンスタンド２の店舗名、住所、燃料補給時の月日時分秒を表す数字情報、燃料購入金額が含まれている。
【００３２】
ホストコンピュータ３０は、レジ端末２２から受信したデータを内部記憶装置（図示せず）に記憶するとともにカード決済のための処理を行い、この処理が完了すると燃料購入金額を含む決済情報を情報センタ１の燃料情報収集装置１０へ通知する処理を実施する。
【００３３】
次に、図４に従って、このホストコンピュータ３０による決済情報通知処理について説明する。
【００３４】
まず、カード決済が完了したか否かを判定する（Ｓ２００）。通常、燃料補給時からカード決済が完了するまでに、数日〜１ヶ月程度の期間を要する。
【００３５】
カード決済が完了すると、Ｓ２００の判定はＹＥＳとなり、車両４の燃料購入金額を含む決済情報を情報センタ１の燃料情報収集装置１０へ通知する（Ｓ２０２）。具体的には、レジ端末２２から受信したガソリンスタンド２の店舗名、住所、燃料補給時の月日時分秒を表す数字情報を用いて、上記した車載機４０の制御部４１が情報センタ１の燃料情報収集装置１０へ通知する燃料補給通知に付加したものと同一のシリアルナンバーを生成し、このシリアルナンバーを燃料購入金額に付加した決済情報を情報センタ１の燃料情報収集装置１０へ通知する。
【００３６】
このようにして、ガソリンスタンド２における車両４への燃料購入金額を含む決済情報が情報センタ１の燃料情報収集装置１０へ通知される。なお、車両４のユーザがガソリンスタンド２にて現金により燃料購入金額を支払った場合には、このような決済情報の通知はない。
【００３７】
情報センタ１の燃料情報収集装置１０は、車載機４０からの燃料補給通知とカード会社３のホストコンピュータ３０からの決済情報から各ガソリンスタンド２における燃料単価を算出してデータベースを構築する処理を行う。
【００３８】
次に、図５に従って、燃料情報収集装置１０によるデータベース構築処理について説明する。燃料情報収集装置１０は、常時、動作状態となっている。
【００３９】
まず、車載機４０より受信した燃料補給通知を記憶する（Ｓ３００）。具体的には、車載機４０より送信される燃料補給通知に含まれるシリアルナンバーからガソリンスタンド２の店舗名および住所を特定し、これらのガソリンスタンド２の店舗名、住所とともに燃料補給通知に含まれる燃料補給量、燃料種別、シリアルナンバー、燃料補給通知を受信した日時情報を記憶装置４４に記憶させる。
【００４０】
次に、燃料補給通知を受信してから一定期間（例えば、１ヶ月）内に決済情報を受信したかを判定する（Ｓ３０２）。具体的には、記憶装置４４に記憶された燃料補給通知を受信した日時情報に基づいて、燃料補給通知を受信してから一定期間内に決済情報を受信したか否かを判定する。
【００４１】
燃料補給通知を受信してから一定期間内にカード会社３のホストコンピュータ３０から決済情報を受信した場合、Ｓ３０２の判定はＹＥＳとなり、次に、燃料補給通知と決済情報のシリアルナンバーが同一か否かを判定する（Ｓ３０４）。具体的には、受信した決済情報に含まれるシリアルナンバーと同一のシリアルナンバーの燃料補給通知が記憶装置４４に記憶されているか否かを判定する。
【００４２】
ここで、受信した決済情報に含まれるシリアルナンバーと同一のシリアルナンバーの燃料補給通知が記憶装置４４に記憶されている場合、Ｓ３０４の判定はＹＥＳとなり、次に、受信した決済情報を記憶装置４４に記憶する（Ｓ３０６）。具体的には、先のＳ３００にて記憶された情報と関連付けて決済情報に含まれる燃料購入金額を記憶装置４４に記憶させる。
【００４３】
次に、燃料単価を算出する（Ｓ３０８）。燃料単価（１リットル当たりの金額）は、燃料単価＝燃料購入金額／（燃料補給量×消費税）として算出することができる。ただし、例えば、消費税が５％の場合、消費税を１．０５として燃料単価の算出を行う。
【００４４】
次に、燃料単価を記憶する（Ｓ３１０）、算出した燃料単価を記憶装置４４に記憶させる。
【００４５】
なお、現金により燃料購入金額が支払われた場合、燃料補給通知を受信してから一定期間内に決済情報が受信されないため、Ｓ３０２の判定はＮＯとなり、決済情報を記憶装置４４に記憶することなく、本処理を終了する。
【００４６】
また、カード会社３のホストコンピュータ３０から受信した決済情報に含まれるシリアルナンバーと同一のシリアルナンバーの燃料補給通知が記憶装置４４に記憶されていない場合、Ｓ３０４の判定はＮＯとなり、決済情報を記憶装置４４に記憶することなく、本処理を終了する。
【００４７】
燃料情報収集装置１０には、各地のガソリンスタンド２で行われる多数の車両４への燃料補給作業に応じて、各車両４への燃料補給量と燃料種別を表す燃料補給通知と、車両への燃料購入金額を含む決済情報が通知される。燃料情報収集装置１０は、図５に示した処理を繰り返し実施し、各ガソリンスタンド２にて燃料補給された燃料種別の燃料単価を蓄積し、各ガソリンスタンド２における燃料種別毎の燃料単価を記憶装置４４に記憶してデータベースを構築する。
【００４８】
図６に、データベースの構成例を示す。図に示すように、データベースには、店舗名、住所、燃料種別、燃料単価を表す項目が含まれる。この燃料単価は、実際の販売価格である。そして、この燃料単価は、燃料情報収集装置１０の処理に応じて随時新たな価格に更新される。
【００４９】
本車載機４０は、ナビゲーション装置として構成されており、情報センタ１の燃料情報収集装置１０のデータベースを利用して燃料単価の検索を行う燃料単価検索機能を有している。
【００５０】
ユーザ操作に応じて、目的地検索、ジャンル検索が指定されると、ガソリンスタンド等を含む各種ジャンルの選択画面が表示され、ユーザ操作によりガソリンスタンドが選択されると、住所別、五十音別、燃料単価別に、ガソリンスタンドを検索する画面が表示されるようになっている。
【００５１】
ユーザ操作によりいずれかの検索が選択され、検索条件の入力が完了すると、車載機４０から情報センタ１の燃料情報収集装置１０へ検索条件が送信される。燃料情報収集装置１０は、この検索条件に従ってデータベースを検索し、該当するガソリンスタンドとともに住所、燃料種別毎の燃料単価などの情報が車載機４０へ送信され、車載機４０のディスプレイ４２に表示されるようになっている。
【００５２】
例えば、ユーザ操作により住所別検索が選択され、住所の入力が完了すると、燃料情報収集装置１０による検索が実施され、該当する地域のガソリンスタンドの店舗名、住所とともに燃料種別毎の燃料単価が車載機４０のディスプレイ４２に一覧表示される。
【００５３】
また、ユーザ操作により五十音別検索が選択され、店舗名の入力が完了すると、燃料情報収集装置１０による検索が実施され、該当するガソリンスタンドの店舗名、住所とともに燃料種別毎の燃料単価が車載機４０のディスプレイ４２に一覧表示される。
【００５４】
また、ユーザ操作により燃料単価別検索が選択され、燃料種別および燃料単価の条件入力が完了すると、燃料情報収集装置１０による検索が実施され、該当するガソリンスタンドの店舗名、住所とともに指定された燃料種別の燃料単価が車載機４０のディスプレイ４２に一覧表示される。
【００５５】
なお、ユーザ操作に応じて燃料種別毎に燃料単価の安い順、あるいは燃料単価の高い順に並べ替えを行うことも可能となっている。
【００５６】
また、ユーザ操作に応じて地図上のガソリンスタンドの位置に表示されたアイコンを選択操作することにより、図７に示すような燃料種別毎の燃料単価を表示させることも可能となっている。
【００５７】
上記した構成によれば、ガソリンスタンドにおける車両への燃料補給量と燃料種別を表す燃料補給通知を車両に搭載された車載機から受信して記憶装置に記憶させ、ガソリンスタンドにおける車両の燃料購入金額を含む決済情報をカード会社のコンピュータより受信して記憶装置に記憶させ、記憶装置に記憶された車両への燃料補給量と燃料種別および燃料購入金額からガソリンスタンドにおいて車両に供給された燃料の単価を算出して記憶装置に記憶するようにして、各ガソリンスタンドにおける燃料種別毎の燃料単価が記憶装置に記憶される。すなわち、各ガソリンスタンドにおける実際の燃料単価を収集することができる。
【００５８】
また、燃料補給通知を受信してから予め定められた期間が経過する前に決済情報を受信しないと判定された場合、記憶媒体に決済情報が記憶されない。すなわち、このような場合には、燃料補給所における実際の燃料単価を収集しないようにすることができる。
【００５９】
なお、本発明は上記実施形態に限定されるものではなく、本発明の趣旨に基づいて種々なる形態で実施することができる。
【００６０】
例えば、上記実施形態では、軽油、レギュラーガソリン、ハイオクガソリン毎に燃料単価を収集する例を示したが、これらの燃料種別に限定されるものではなく、水素、メタノール、液化天然ガスなどの各種燃料の燃料単価を収集するようにしてもよい。
【００６１】
また、上記実施形態では、ガソリンスタンド２の店舗名および住所を予め定められた規則に従ってユニークなコードを生成し、このコードの末尾に燃料補給時の月日時分秒を表す数字情報を付加してガソリンスタンド２における車両４への燃料補給作業を識別するための識別情報（シリアルナンバー）を生成する例を示したが、識別情報の生成方法はこのような例に限定されるものではない。
【００６２】
なお、上記実施形態における構成と特許請求の範囲の構成との対応関係について説明すると、Ｓ３００が第１の記憶制御手段に相当し、Ｓ３０６が第２の記憶制御手段に相当し、Ｓ３０８が燃料単価算出手段に相当し、Ｓ３１０が第３記憶制御手段に相当し、Ｓ３０４が期間判定手段に相当し、Ｓ３０２が識別情報判定手段に相当する。
【図面の簡単な説明】
【００６３】
【図１】本発明の一実施形態に係る燃料情報収集装置の全体構成を示す図である。
【図２】車載機のブロック構成を示す図である。
【図３】車載機の制御部による燃料補給通知処理のフローチャートである。
【図４】カード会社のホストコンピュータによる決済情報通知処理のフローチャートである。
【図５】燃料情報収集装置によるデータベース構築処理のフローチャートである。
【図６】データベースの構成例を示す図である。
【図７】燃料種別毎の燃料単価の表示例を示す図である。
【符号の説明】
【００６４】
１…情報センタ、１０…燃料情報収集装置、２…ガソリンスタンド、２１…給油機、
２２…レジ端末、３…カード会社、３０…ホストコンピュータ、４…車両、
４０…車載機、４１…制御部、４２…ディスプレイ、４３…通信回路、
４４…記憶装置。 
【図１】
2009134502.tif 000003
【図２】
2009134502.tif 000004
【図３】
2009134502.tif 000005
【図４】
2009134502.tif 000006
【図５】
2009134502.tif 000007
【図６】
2009134502.tif 000008
【図７】
2009134502.tif 000009